(57)【要約】【課題】  金属の電位差により電力を発生させる微電量用電力供給バッテリーを提供する。【解決手段】  一端に開口を有する筒状の本体と、本体の封閉端に設けられ、一端が外側へ延出すると共に、他端が本体の内部に延伸するAl-Mg合金電極及び銅電極と、一端に開口を有すると共に、本体の開口端と結合する筒状の供水容器とを備える微電量用電力供給バッテリーであって、前記本体の開口端の外側にねじ山が設けられ、内側に夫々吸水ブロックと封止リングが嵌め込まれ、内部に活性炭が充満され、前記供水容器の開口端の内側に本体のねじ山と螺合するねじ山が設けられ、内部に水が充満され、前記本体の封閉端の外側にAl-Mg合金電極と銅電極との間に位置するガイドプレートが設けられることを特徴とする。【選択図】  図２
0003109505.tif 000002
【実用新案登録請求の範囲】
【請求項１】
一端に開口を有する筒状の本体と、本体の封閉端に設けられ、一端が外側へ延出すると共に、他端が本体の内部に延伸する電極と、一端に開口を有すると共に、本体の開口端と結合する筒状の供水容器とを備える微電量用電力供給バッテリーであって、
前記本体の開口端の外側にねじ山が設けられ、内側に夫々吸水ブロックと封止リングが嵌め込まれ、内部に活性炭が充満され、
前記供水容器の開口端の内側に本体のねじ山と螺合するねじ山が設けられ、内部に水が充満され、
前記本体の封閉端の外側に位置するガイドプレートが設けられることを特徴とする微電量用電力供給バッテリー。
【請求項２】
前記電極は夫々Al-Mg合金電極及び銅電極であることを特徴とする請求項１に記載の微電量用電力供給バッテリー。
【考案の詳細な説明】
【技術分野】
【０００１】
本考案は、特に金属の電位差により電力を発生させる微電量用電力供給バッテリーに関するものである。
【背景技術】
【０００２】
一般の電力は、風力、原子力、太陽エネルギー又はバッテリーなどから提供を受け、又、バッテリーとしては、低汚染である亜鉛/銅の電極がよく使用され、これも金属の電位差により、電力を提供するものである。
【考案の開示】
【考案が解決しようとする課題】
【０００３】
しかしながら、上記の亜鉛/銅の電極を有するバッテリーは食塩水を電解液として使用するので、以下のような問題を有する。
１、 化学反応の過程中、食塩水の中に雑物が発生しやすいので、バッテリーの電力供給効果を低下させてしまう。
２、 電解液の補充が面倒であるので、一旦バッテリーの電力供給効果が低下してしまうと、非常に不便である。
３、 食塩水を電解液として使用すると、亜鉛と銅からなる電極の使用寿命に悪影響を与えるので、バッテリーの使用寿命を向上させることができない。
【０００４】
そこで、案出されたのが本考案であって、金属の電位差により電力を発生させる微電量用電力供給バッテリーを提供することを目的としている。
【課題を解決するための手段】
【０００５】
本願の請求項１の考案は、一端に開口を有する筒状の本体と、本体の封閉端に設けられ、一端が外側へ延出すると共に、他端が本体の内部に延伸する電極と、一端に開口を有すると共に、本体の開口端と結合する筒状の供水容器とを備える微電量用電力供給バッテリーであって、
前記本体の開口端の外側にねじ山が設けられ、内側に夫々吸水ブロックと封止リングが嵌め込まれ、内部に活性炭が充満され、
前記供水容器の開口端の内側に本体のねじ山と螺合するねじ山が設けられ、内部に水が充満され、
前記本体の封閉端の外側に位置するガイドプレートが設けられることを特徴とする微電量用電力供給バッテリー及び、
本願の請求項２の考案は、前記電極は夫々Al-Mg合金電極及び銅電極であることを特徴とする請求項１に記載の微電量用電力供給バッテリー、を提供する。
【考案の効果】
【０００６】
本考案は上記の課題を解決するものであり、互いに結合する筒体の本体と供水容器を有し、本体の封閉端に一端が外側へ延出すると共に、他端が本体の内部に延伸するAl-Mg合金電極及び銅電極が設けられ、内部に活性炭が充満され、本体の開口端の内側に吸水ブロックと封止リングが設けられ、供水容器の内部に水が充満され、電極の電位差により電力を発生することができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る微電量用電力供給バッテリーの分解斜視図であり、図２は本考案に係る微電量用電力供給バッテリーの断面図であり、図３は本考案に係る微電量用電力供給バッテリーの使用状態を示す分解斜視図であり、図４は本考案に係る微電量用電力供給バッテリーのガイドプレートがソケットの壁と接触する状態を示す断面図である。
【０００９】
図１及び図２に示すように、本考案に係る微電量用電力供給バッテリーは、一端に開口を有する円筒状の本体（１０）と、本体（１０）の封閉端に設けられ、一端が外側へ延出すると共に、他端が本体（１０）の内部に延伸するAl-Mg合金電極（１３）及び銅電極（１４）と、一端に開口を有すると共に、本体（１０）の開口端と結合する円筒状の供水容器（２０）とを備える。
【００１０】
前記本体（１０）の開口端の外側にねじ山（１００）が設けられ、内側に夫々吸水ブロック（１５）と封止リング（１６）が嵌め込まれ、又、本体（１０）の内部に活性炭（１１）が充満される。
【００１１】
前記供水容器（２０）の開口端の内側に本体（１０）のねじ山（１００）と螺合するねじ山（２００）が設けられ、又、供水容器（２０）の内部に水（２１）が充満される。
【００１２】
又、前記本体（１０）の封閉端の外側にAl-Mg合金電極（１３）と銅電極（１４）との間に位置するガイドプレート（１７）が設けられる。
【００１３】
本考案に係る微電量用電力供給バッテリーを組み合わせる際、まずAl-Mg合金電極（１３）と銅電極（１４）とを有する本体（１０）の内部に活性炭（１１）を充満し、吸水ブロック（１５）と封止リング（１６）を順に本体の開口端に打ちこむことにより、活性炭（１１）を本体（１０）の内部に位置決める。
【００１４】
つぎは供水容器（２０）の内部に水（２１）を充満し、該水（２１）を充満した供水容器（２０）をねじ山（１００）（２００）の螺合によって本体（１０）と結合する。
【００１５】
本体（１０）の開口端の内側に吸水ブロック（１５）を有するので、供水容器（２０）の内部における水（２１）を毛細管現象で本体（１０）の内部における活性炭（１１）に移送し、又、水（１３）を含む活性炭（１１）を電解液として使用することにより、Al-Mg合金電極（１３）と銅電極（１４）の電位差によって放電することができる。
【００１６】
又、供水容器（２０）の内部における水（２１）は電極と直接に接触しないので、汚染されないと共に、バッテリーの使用寿命の延長効果を有する。
【００１７】
又、水（２１）を含む活性炭（１１）を電解液として使用すると、前記の電極の電位差により約１．５ボルトの電圧を発生できる。供水容器（２０）の水（２１）を使い切った後、該供水容器（２０）を本体（１０）から取り外して内部に水（２１）を再び充満した後、本体（１０）と結合するだけで、バッテリーを簡単に再利用することができる。
【００１８】
又、図３に示すように、本体（１０）の封閉端の外側にガイドプレート（１７）を有するので、バッテリーのAl-Mg合金電極（１３）と銅電極（１４）が正しいにソケット（３０）の挿入口（３１）に挿入することができ、又、図４に示すように、バッテリーのAl-Mg合金電極（１３）と銅電極（１４）が間違い挿入口（３１）に挿入しようとする場合、該ガイドプレート（１７）がソケット（３０）の壁と接触することにより、Al-Mg合金電極（１３）と銅電極（１４）が間違い挿入口（３１）に挿入できない。
【産業上の利用可能性】
【００１９】
本考案は上記の構成を有するので、互いに結合する筒体の本体と供水容器を有し、本体の封閉端に一端が外側へ延出すると共に、他端が本体の内部に延伸するAl-Mg合金電極及び銅電極が設けられ、内部に活性炭が充満され、本体の開口端の内側に吸水ブロックと封止リングが設けられ、供水容器の内部に水が充満され、電極の電位差により電力を発生することができる。
【図面の簡単な説明】
【００２０】
【図１】本考案に係る微電量用電力供給バッテリーの分解斜視図である。
【図２】本考案に係る微電量用電力供給バッテリーの断面図である。
【図３】本考案に係る微電量用電力供給バッテリーの使用状態を示す分解斜視図である。
【図４】本考案に係る微電量用電力供給バッテリーのガイドプレートがソケットの壁と接触する状態を示す断面図である。
【符号の説明】
【００２１】
１０        本体
１００      ねじ山
１１        活性炭
１３        Al-Mg合金電極
１４        銅電極
１５        吸水ブロック
１６        封止リング
１７        ガイドプレート
２０        供水容器
２００      ねじ山
２１        水
３０        ソケット
３１        挿入孔
【図１】
0003109505.tif 000003
【図２】
0003109505.tif 000004
【図３】
0003109505.tif 000005
【図４】
0003109505.tif 000006